(57)【要約】【課題】球の打つ位置がずれたり中心点から外れたりしても、ホールに入る確率の低下を抑制したゴルフ用クラブヘッド及びこれを備えたゴルフ用クラブを提供する。【解決手段】ゴルフ用クラブヘッド１００は、ボールを打つ面に突出部領域１１１を設け、突出部領域１１１から複数の突出部１１２が突出する。ゴルフ用クラブヘッド１００の表面は本来の単一の接触点から複数の綿密の接触点に変わったため、複数の綿密の接触点が同時に球に接することで、球はより安定的に目標方向に沿ってホールに入る。ゴルフ用クラブは球を打つ瞬間、接触程度が強いので、手には振動感覚が少なく、手触りが良い。【選択図】図１
0003206783.tif 000002
【実用新案登録請求の範囲】
【請求項１】
ボールを打つ面に突出部領域を設け、前記突出部領域から複数の突出部が突出することを特徴とする、ゴルフ用クラブヘッド。
【請求項２】
前記突出部は柱状又は円錐形であることを特徴とする、請求項１に記載のゴルフ用クラブヘッド。
【請求項３】
前記突出部は錐台型又は角錐形であることを特徴とする、請求項１に記載のゴルフ用クラブヘッド。
【請求項４】
前記突出部は正多角錐形であることを特徴とする、請求項１に記載のゴルフ用クラブヘッド。
【請求項５】
前記突出部は１つの底面と複数の側面とを含み、前記底面と前記側面とのなす角度は３０度〜７５度であることを特徴とする、請求項４に記載のゴルフ用クラブヘッド。
【請求項６】
前記突出部は正四角柱又は正六角柱であることを特徴とする、請求項４に記載のゴルフ用クラブヘッド。
【請求項７】
前記複数の突出部は均一に整列して又は均一にずらして並べられることを特徴とする、請求項１〜６のいずれかに記載のゴルフ用クラブヘッド。
【請求項８】
前記ゴルフ用クラブヘッドはパターであることを特徴とする、請求項１〜７のいずれかに記載のゴルフ用クラブヘッド。
【請求項９】
請求項１〜８のいずれかに記載のゴルフ用クラブヘッドを備えた、ゴルフ用クラブ。
【考案の詳細な説明】
【技術分野】
【０００１】
本考案は、ゴルフ用クラブヘッド及びこれを備えたゴルフ用クラブに関する。
【背景技術】
【０００２】
ゴルフの試合でよく使われるクラブはウッド、アイアン、パターなどである。グリーンで球を軽く打ちホールに入れるのはパターである。パターはグリーンのスピード、勾配、地形等の要素をよく把握した上で使われるクラブである。パターで球を打つのはゴルフの試合で最も難しく、最もミスをしやすい。変化が多いグリーンで球を打つのは外部の影響だけではなく、打つ人の精神状態にもよく影響される。球を打つのはプロの選手にとっては最大の挑戦である。ウッド、アイアン、パターの中で、パターの使用率は最も高い。標準の１８ホール７２パーのとき、グリーンではホールごとに２回球を打つので、全体で３６回パターを使う。使用率は標準数の半分を占める。このため、パターの使用回数はティーグラウンド、平らなフェアウェー、バンカー等で使う他のクラブの総数に相当する。パターは球を打つ過程で打数の多少に決定的に影響する。
【先行技術文献】
【非特許文献】
【０００３】
【非特許文献１】インターネット＜ＵＲＬ：https://ja.wikipedia.org/wiki/%E3%82%AF%E3%83%A9%E3%83%96_(%E3%82%B4%E3%83%AB%E3%83%95%E7%94%A8%E5%85%B7)＞
【考案の概要】
【考案が解決しようとする課題】
【０００４】
ところで、ゴルフの球は３００〜４００個の凹む痕を持つ。図６に示したように、従来のパターの表面は平らであり、パターは球に接触する瞬間、小面積で球に接するので、球の行く方向やコースが不安定になる。球は打たれたとき、たとえ１度のズレあっても球の中心点に接触しなければ大きな差が出るので、ホールに入る確率が下がる。パターでより正しく球を打つために、パターは絶え間なく改善され、これまで多種のパターが開発されてきた。
【０００５】
本考案の目的とするところは、球の打つ位置がずれたり中心点から外れたりしても、ホールに入る確率の低下を抑制することの可能な、ゴルフ用クラブヘッド及びこれを備えたゴルフ用クラブを提供することにある。
【課題を解決するための手段】
【０００６】
上記課題を解決するために、本考案によれば、ボールを打つ面に突出部領域（突出ユニート領域、突出単位領域）を設け、前記突出部領域から複数の突出部（突出ユニート、突出単位）が突出することを特徴とする、ゴルフ用クラブヘッドが提供される。
【０００７】
本考案は様々な応用が可能である。以下の応用例は適宜組み合わせることが可能である。例えば、前記突出部は柱状又は円錐形であってもよい。
【０００８】
また、前記突出部は錐台型又は角錐形であってもよい。
【０００９】
また、前記突出部は正多角錐形であってもよい。
【００１０】
また、前記突出部は１つの底面と複数の側面とを含み、前記底面と前記側面とのなす角度は３０度〜７５度であってもよい。
【００１１】
また、前記突出部は正四角柱又は正六角柱であってもよい。
【００１２】
また、前記複数の突出部は均一に整列して又は均一にずらして並べられるようにしてもよい。
【００１３】
また、前記ゴルフ用クラブヘッドはパターであってもよい。
【００１４】
また、本考案によれば、ゴルフ用クラブヘッドを備えたゴルフ用クラブが提供される。
【考案の効果】
【００１５】
本考案のゴルフ用クラブヘッド及びこれを備えたゴルフ用クラブによれば、以下のような効果がある。ゴルフ用クラブヘッドの表面は本来の単一の接触点から複数の綿密の接触点に変わったため、複数の綿密の接触点が同時に球に接することで、球はより安定的に目標方向に沿ってホールに入る。ゴルフ用クラブは球を打つ瞬間、接触程度が強いので、手には振動感覚が少なく、手触りが良い。また、ゴルフ用クラブヘッドはパターが球に接触した後、短時間で良好な転がりを球に持たせるので、ホールに入る確率を増加させる。また、ゴルフ用クラブはプロとアマチュアの打数減少のチャンスを上げられるから、初心者のストレスを最小化させ、ゲームの趣味性を増加できる。また、ゴルフ用クラブヘッドで球を打つとき、球の転がる距離を増加することで、より目標距離に近づかせることができる。
【図面の簡単な説明】
【００１６】
【図１】本考案の一実施形態にかかるゴルフ用クラブヘッドの説明図である。
【図２】ゴルフ用クラブヘッドの正面図である。
【図３】ゴルフ用クラブヘッドの左側面図である。
【図４】ゴルフ用クラブヘッドの応用例を示す図である。
【図５】ゴルフ用クラブヘッドの別の応用例を示す正面図である。
【図６】従来のゴルフ用クラブ表面の説明図である。
【考案を実施するための形態】
【００１７】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１８】
まず、図１〜図３を参照しながら、本実施形態にかかるゴルフ用クラブヘッド１００（以下、ヘッド１００という）について説明する。本実施形態のヘッド１００を備えたゴルフ用クラブはパターである。図１は、ゴルフ用クラブヘッドの立体説明図である。図２は、ゴルフ用クラブヘッドの正面図である。図３は、ゴルフ用クラブヘッドの左側面図である。
【００１９】
ヘッド１００は、図１〜図３に示したように、ボールを打つ打面１１０に突出部領域１１１を設け、突出部領域１１１から複数の突出部１１２が突出するものである。打面１１０は球を打つ部位に外部へ突出する複数の小さな突出部１１２を含む。突出部１１２は球がパターと接触するときに接触面積を増加させることで、球を打つ瞬間の球と打面１１０の接触程度を高めさせ、球の行くコースと方向の精度を上げる。
【００２０】
打面１１０は本来の単一の接触点から多数の綿密の接触点に変わり、同時に球を接することで、球はより安定的に目標方向に沿ってホールに入る。そして、クラブは球を打つ瞬間、接触程度が強いので、手には振動感覚が少なく、手触りが良い。打面１１０のサイズは、図３の実線が示すように、ヘッド１００の全側面を占める。
【００２１】
（突出部１１２）
突出部１１２は柱型（すなわち、上部と下部の太さが同じ形状）でもよい。例えば円柱、角柱などである。また、突出部１１２は錐形で（すなわち、上部が細い、下部が太い形状）でもよい。例えば、円錐形、錐台形、角錐形などである。最も良い突出部１１２は正多角錐形である。すなわち、突出部領域１１１に厳密に複数の外部へ（ヘッド１００の外側へ、すなわち、図３において突出部領域１１１から紙面外側の方向へ、又は図４において突出部領域１１１から右の方向へ）突出する点を配置する。ヘッド１００の打面１１０に外部へ突出する点状の突出部１１２を複数設置する。球がパターと接触するときの接触面積を増加させることで、球を打つ瞬間の球とヘッド１００の接触の程度を強めさせ、球の飛距離、コース及び方向の精度を上げる。
【００２２】
本実施形態において、最も良い突出部１１２は正多角錐形である。すなわち、突出部１１２は１つの底面１１２ａと複数の側面１１２ｂとを含み、底面１１２ａと側面１１２ｂとのなす角度は３０度〜７５度である。さらに最も良い突出部１１２は正四角錐形（すなわち、ピラミッド形）又は正六角錐形である。突出部領域１１１内の複数の突出部１１２は、図３に示したように、均一整列に並ぶ。
【００２３】
突出部１１２の長さは１ｍｍ〜１０ｍｍで、最も良い突出部１１２の長さは２ｍｍ〜８ｍｍで、或いは最も良い突出部１１２の長さは２ｍｍ〜５ｍｍである。
突出部１１２の広さは１ｍｍ〜１０ｍｍで、最も良い突出部１１２の広さは２ｍｍ〜８ｍｍで、或いは最も良い突出部１１２の広さは２ｍｍ〜５ｍｍである。
突出部１１２の高さは１ｍｍ〜１０ｍｍで、最も良い突出部１１２の高さは２ｍｍ〜８ｍｍで、或いは最も良い突出部１１２の高さは２ｍｍ〜５ｍｍである。
突出部領域１１１は長方形でも、楕円形でも、円形でも或いは任意の幾何学的図形の組み合わせでもいい。
【００２４】
（本実施形態の効果）
以上説明したように、本実施形態によれば、ヘッド１００は打面１１０に複数の突出部１１２を備えた突出部領域１１１が設けられるので、ヘッド１００を備えたゴルフ用クラブは、球を打つ瞬間の球と打面１１０との接触程度が強いので、手には振動感覚が少なく、手触りが良い。
【００２５】
また、ヘッド１００は、球に接触した後、短時間で良好な転がりを持たせるので、ホールに入る確率を増加させる。
【００２６】
また、ヘッド１００はプロとアマチュアの打数減少のチャンスを上げられるから、初心者のストレスを最小化させ、ゲームの趣味性を増加できる。
【００２７】
また、ヘッド１００で球を押すとき、球の転がる距離を増加することで、より目標距離に近づかせる。
【００２８】
（応用例）
突出部は、図４に示したように、突出部領域内に、多数の突出部を均一にずらして並べてもよい。
【００２９】
（別の応用例）
突出部領域のサイズは、図５の実線で示したように、ヘッドの打面の全面を占めてもよい。ヘッドは、図３の実線が示すもののようであっても、図６の実線が示すもののようであってもよい。
【００３０】
以上述べた内容は本実用新案の具体実施例に過ぎず、これで実用新案の実施範囲が限定されるものではない。よって、類似組立部品の取替、或いは実用新案登録請求の範囲に基づく類似変化と飾り等も本実用新案登録請求の範囲に属するべきである。その他、本実用新案の技術特徴と技術特徴の間、技術特徴と技術方案の間、技術方案と技術方案の間で組み合わせて使われる。
【産業上の利用可能性】
【００３１】
本考案は、ゴルフ用クラブヘッド及びこれを備えたゴルフ用クラブに利用可能である。
【符号の説明】
【００３２】
１００  ゴルフ用クラブヘッド
１１０  打面
１１１  突出部領域
１１２  突出部
１１２ａ  底面
１１２ｂ  側面
【図１】
0003206783.tif 000003
【図２】
0003206783.tif 000004
【図３】
0003206783.tif 000005
【図４】
0003206783.tif 000006
【図５】
0003206783.tif 000007
【図６】
0003206783.tif 000008
【手続補正書】
【提出日】平成28年8月8日(2016.8.8)
【手続補正１】
【補正対象書類名】実用新案登録請求の範囲
【補正対象項目名】全文
【補正方法】変更
【補正の内容】
【実用新案登録請求の範囲】
【請求項１】
ボールを打つ面に突出部領域を設け、前記突出部領域から複数の突出部が突出することを特徴とする、ゴルフ用クラブヘッド。
【請求項２】
前記突出部は柱状又は円錐形であることを特徴とする、請求項１に記載のゴルフ用クラブヘッド。
【請求項３】
前記突出部は錐台形又は角錐形であることを特徴とする、請求項１に記載のゴルフ用クラブヘッド。
【請求項４】
前記突出部は正多角錐形であることを特徴とする、請求項１に記載のゴルフ用クラブヘッド。
【請求項５】
前記突出部は１つの底面と複数の側面とを含み、前記底面と前記側面とのなす角度は３０度〜７５度であることを特徴とする、請求項４に記載のゴルフ用クラブヘッド。
【請求項６】
前記突出部は正四角錐形又は正六角錐形であることを特徴とする、請求項４に記載のゴルフ用クラブヘッド。
【請求項７】
前記複数の突出部は均一に整列して又は均一にずらして並べられることを特徴とする、請求項１〜６のいずれかに記載のゴルフ用クラブヘッド。
【請求項８】
前記ゴルフ用クラブヘッドはパターであることを特徴とする、請求項１〜７のいずれかに記載のゴルフ用クラブヘッド。
【請求項９】
請求項１〜８のいずれかに記載のゴルフ用クラブヘッドを備えた、ゴルフ用クラブ。